【手続補正書】
【提出日】平成28年1月16日(2016.1.16)
【手続補正１】
【補正対象書類名】特許請求の範囲
【補正対象項目名】全文
【補正方法】変更
【補正の内容】
【特許請求の範囲】
【請求項１】
複数の撮影装置と、表示手段を有する携帯型装置とのそれぞれが、サーバと通信可能に接続される医療支援システムであって、
前記携帯型装置が、前記複数の撮影装置のいずれかを選択する選択手段と、前記選択された撮影装置により被検者を撮影する撮影者のＩＤである撮影者ＩＤを入力する撮影者ＩＤ入力手段と、前記入力された撮影者ＩＤを前記サーバに送信する第１の送信手段とを有し、
前記選択された撮影装置が、前記選択された撮影装置により撮影された前記被検者の画像データを前記サーバに送信する第２の送信手段を有し、
前記サーバが、前記送信された撮影者ＩＤと前記送信された画像データとを受信する受信手段と、前記受信された撮影者ＩＤと前記受信された画像データとを関連付けて記録する記録手段とを有することを特徴とする医療支援システム。
【請求項２】
前記記録手段が、前記選択された撮影装置以外の他の撮影装置により撮影された前記被検者の画像データが受信された場合、前記他の撮影装置により撮影された前記被検者の前記受信された画像データと前記受信された被検者ＩＤとを関連付けて記録しないことを特徴とする請求項１に記載の医療支援システム。
【請求項３】
前記サーバが、前記撮影装置により撮影された時刻から所定の期間経過後に前記記録された画像データと前記画像データに基づくサムネイル画像とを前記記録手段から削除する記録制御手段を有することを特徴とする請求項１または２に記載の医療支援システム。
【請求項４】
前記記録制御手段が、前記撮影装置により撮影された時刻から前記所定の期間経過後に前記記録された画像データに削除フラグを付加し、毎日、所定の時刻に前記削除フラグが付加された画像データと前記画像データに基づくサムネイル画像とを前記記録手段から削除することを特徴とする請求項３に記載の医療支援システム。
【請求項５】
前記携帯型装置が、前記記録された画像データを登録する登録手段を有し、前記記録制御手段が、前記登録手段により登録されたデータを所定の期間経過後に削除しないことを特徴とする請求項３または４に記載の医療支援システム。
【請求項６】
撮影装置と、表示手段を有する携帯型装置とのそれぞれが、サーバと通信可能に接続される医療支援システムであって、
前記携帯型装置が、前記撮影装置により被検者を撮影する撮影者のＩＤである撮影者ＩＤを入力する撮影者ＩＤ入力手段と、前記入力された撮影者ＩＤを前記サーバに送信する第１の送信手段とを有し、
前記撮影装置が、前記撮影装置により撮影された前記被検者の画像データを前記サーバに送信する第２の送信手段を有し、
前記サーバが、前記送信された撮影者ＩＤと前記送信された画像データとを受信する受信手段と、前記受信された撮影者ＩＤと前記受信された画像データとを関連付けて記録する記録手段とを有することを特徴とする医療支援システム。
【請求項７】
前記記録手段が、前記撮影装置以外の他の撮影装置により撮影された前記被検者の画像データが受信された場合、前記他の撮影装置により撮影された前記被検者の前記受信された画像データと前記受信された撮影者ＩＤとを関連付けて記録しないことを特徴とする請求項６に記載の医療支援システム。
【請求項８】
前記サーバが、前記被検者に関するデータと前記受信された画像データに基づいて生成された新たな画像データとを前記携帯型装置に送信する第３の送信手段を更に有し、
前記携帯型装置が、前記被検者に関するデータと前記新たな画像データに対応する画像とを前記表示手段の同一画面に表示させる表示制御手段を更に有することを特徴とする請求項１乃至７のいずれか１項に記載の医療支援システム。
【請求項９】
前記サーバが、前記被検者に関するデータと前記受信された画像データの少なくとも一部の画像データとを前記携帯型装置に送信する第３の送信手段を更に有し、
前記携帯型装置が、前記被検者に関するデータと前記少なくとも一部の画像データに対応する画像とを前記表示手段の同一画面に表示させる表示制御手段を更に有することを特徴とする請求項１乃至７のいずれか１項に記載の医療支援システム。
【請求項１０】
前記サーバが、前記関連付けて記録されたデータを参照するための情報を外部システムに送信する第３の送信手段を更に有し、
前記外部システムのユーザインターフェースを介して前記関連付けて記録されたデータが参照可能に構成されることを特徴とする請求項１乃至７のいずれか１項に記載の医療支援システム。
【請求項１１】
前記サーバが、前記記録された画像データの種類を示す情報を前記画像データに付加し、
前記第３の送信手段が、所定の種類の画像データが記録されていない場合には、前記記録されていない画像データの種類を示す情報を前記携帯型装置に送信することを特徴とする請求項８乃至１０のいずれか１項に記載の医療支援システム。
【請求項１２】
前記携帯型装置が、前記被検者のＩＤである被検者ＩＤを入力する被検者ＩＤ入力手段を更に有し、
前記第１の送信手段が、前記入力された被検者ＩＤを前記サーバに送信し、
前記受信手段が、前記送信された被検者ＩＤを受信し、
前記記録手段が、前記受信された被検者ＩＤと前記受信された撮影者ＩＤと前記受信された画像データとを関連付けて記録することを特徴とする請求項１乃至１１のいずれか１項に記載の医療支援システム。
【請求項１３】
複数の撮影装置と、表示手段を有する携帯型装置とのそれぞれが、サーバと通信可能に接続される医療支援システムであって、
前記携帯型装置が、前記複数の撮影装置のうちいずれかの撮影装置のＩＤである撮影装置ＩＤを入力する入力手段と、被検者のＩＤである被検者ＩＤを入力する被検者ＩＤ入力手段と、前記入力された撮影装置ＩＤと前記入力された被検者ＩＤとを前記サーバに送信する第１の送信手段とを有し、
前記入力された撮影装置ＩＤの撮影装置が、前記入力された撮影装置ＩＤの撮影装置により撮影された被検者の画像データを前記サーバに送信する第２の送信手段を有し、
前記サーバが、前記送信された撮影装置ＩＤと前記送信された被検者ＩＤと前記送信された画像データとを受信する受信手段と、前記受信された被検者ＩＤと前記受信された画像データとを関連付けて記録する記録手段と、前記被検者に関するデータを前記携帯型装置に送信する第３の送信手段とを有することを特徴とする医療支援システム。
【請求項１４】
撮影装置と、表示手段を有する携帯型装置とのそれぞれが、サーバと通信可能に接続される医療支援システムであって、
前記携帯型装置が、前記撮影装置により被検者を撮影する撮影者のＩＤである撮影者ＩＤを入力する撮影者ＩＤ入力手段と、前記被検者のＩＤである被検者ＩＤを入力する被検者ＩＤ入力手段と、前記入力された撮影者ＩＤと前記入力された被検者ＩＤとを前記サーバに送信する第１の送信手段とを有し、
前記撮影装置が、前記撮影装置により撮影された前記被検者の画像データを前記サーバに送信する第２の送信手段を有し、
前記サーバが、前記送信された撮影者ＩＤと前記送信された被検者ＩＤと前記送信された画像データとを受信する受信手段と、前記受信された撮影者ＩＤと前記受信された被検者ＩＤと前記受信された画像データとを関連付けて記録する記録手段と、前記被検者に関するデータを前記携帯型装置に送信する第３の送信手段とを有することを特徴とする医療支援システム。
【請求項１５】
前記携帯型装置が、前記被検者に関するデータに対応する表示形態を前記表示手段に表示させる表示制御手段を更に有し、
前記第３の送信手段が、前記受信された画像データに基づいて生成された新たな画像データを前記携帯型装置に送信し、
前記表示制御手段が、前記被検者に関するデータに対応する表示形態と前記新たな画像データに対応する画像とを前記表示手段の同一画面に表示させることを特徴とする請求項１３または１４に記載の医療支援システム。
【請求項１６】
前記携帯型装置が、前記被検者に関するデータに対応する表示形態を前記表示手段に表示させる表示制御手段を更に有し、
前記第３の送信手段が、前記受信された画像データの少なくとも一部の画像データを前記携帯型装置に送信し、
前記表示制御手段が、前記被検者に関するデータに対応する表示形態と前記少なくとも一部の画像データに対応する画像とを前記表示手段の同一画面に表示させることを特徴とする請求項１３または１４に記載の医療支援システム。
【請求項１７】
前記第３の送信手段が、前記関連付けて記録されたデータを参照するための情報を外部システムに送信し、
前記外部システムのユーザインターフェースを介して前記関連付けて記録されたデータが参照可能に構成されることを特徴とする請求項１３または１４に記載の医療支援システム。
【請求項１８】
前記外部システムは、電子カルテシステムであることを特徴とする請求項１０または１７に記載の医療支援システム。
【請求項１９】
請求項１乃至１８のいずれか１項に記載の医療支援システムの各機能をコンピュータに実行させることを特徴とするプログラム。
【手続補正２】
【補正対象書類名】明細書
【補正対象項目名】０００７
【補正方法】変更
【補正の内容】
【０００７】
本発明に係る医療支援システムの一つは、
複数の撮影装置と、表示手段を有する携帯型装置とのそれぞれが、サーバと通信可能に接続される医療支援システムであって、
前記携帯型装置が、前記複数の撮影装置のいずれかを選択する選択手段と、前記選択された撮影装置により被検者を撮影する撮影者のＩＤである撮影者ＩＤを入力する撮影者ＩＤ入力手段と、前記入力された撮影者ＩＤを前記サーバに送信する第１の送信手段とを有し、
前記選択された撮影装置が、前記選択された撮影装置により撮影された前記被検者の画像データを前記サーバに送信する第２の送信手段を有し、
前記サーバが、前記送信された撮影者ＩＤと前記送信された画像データとを受信する受信手段と、前記受信された撮影者ＩＤと前記受信された画像データとを関連付けて記録する記録手段とを有する。